(57)【要約】【課題】貨幣出金装置に対して出金取引不可となるような無駄な操作が行なわれるのを回避または低減できるとともに、貨幣出金装置の稼動効率を高めることができる貨幣出金装置を提供する。【解決手段】ＡＴＭ１は、情報処理センタ３に対して、店舗ＩＤ、キャシュカードから読み取ったカードデータ、入力された暗証番号等のデータを送って、出金可能額の問い合わせを行う。情報処理センタ３は、ＡＴＭ１からの出金可能額の問い合わせを受信すると、出金管理テーブルから、受信したカードＩＤに対応する当日の累計出金額を読み出す。また、ＡＴＭ１から受信したカードＩＤに対応する口座残高を、ホストコンピュータ４から取得する。そして、情報処理センタ３は、一日当たりの出金限度額と、当日の累計出金額と、口座残高とに基づいて、出金可能額を算出して、ＡＴＭ１に送信する。ＡＴＭ１は、受信した出金可能額を表示する。【選択図】図１
2011039652.tif 000002
【特許請求の範囲】
【請求項１】
同一キャッシュカードに対する所定期間当たりの出金限度額が定められている貨幣出金システムに適用される貨幣出金装置において、
キャッシュカードに記憶されているカード情報を読み取るカード情報読取手段と、
上位装置と通信することにより、前記カード情報読取手段によってキャシュカードから読み取られたカード情報に対応する口座残高と、前記所定期間当たりの出金限度額と、前記所定期間内において当該キャッシュカードを用いて行われた出金取引の累計出金額とから決定される、当該キャッシュカードに対する現在の出金可能額を取得する出金可能額取得手段と、
前記出金可能額取得手段によって取得された出金可能額を表示する出金可能額表示手段と、を含む貨幣出金装置。
【請求項２】
前記出金可能額は、前記所定期間当たりの出金限度額から、前記所定期間内において当該キャッシュカードを用いて行われた出金取引の累計出金額を減算した値と、前記口座残高とのうち、少ない方の金額である請求項１記載の貨幣出金装置。
【請求項３】
同一キャッシュカードに対する所定期間当たりの出金限度額が定められている貨幣出金システムに適用される貨幣出金装置において、
キャッシュカードに記憶されているカード情報を読み取るカード情報読取手段と、
上位装置と通信することにより、前記カード情報読取手段によってキャシュカードから読み取られたカード情報に対応する口座残高と、前記所定期間内において当該キャッシュカードを用いて行われた出金取引の累計出金額または前記所定期間当たりの出金限度額から前記累計出金額を減算した値とを含むデータを取得するデータ取得手段と、
前記データ取得手段によって取得したデータに基づいて、当該キャッシュカードに対する現在の出金可能額を算出する算出手段と、
前記算出手段によって算出された出金可能額を表示する出金可能額表示手段と、を含む貨幣出金装置。
【請求項４】
前記算出手段は、前記所定期間当たりの出金限度額から前記累計出金額を減算した値と、前記口座残高とのうち、少ない方の金額を出金可能額として算出するものである請求項３記載の貨幣出金装置。
【請求項５】
出金請求額を入力させるための入力手段と、
前記入力手段によって入力された出金請求額が、前記出金可能額以下であるか否かを判別する判別手段と、
前記判別手段によって、前記出金請求額が前記出金可能額以下であると判別されたときには、前記出金請求額に相当する現金を出金するための出金処理を行ない、前記出金請求額が前記出金可能額より大きいと判別されたときには、出金処理を禁止する手段とをさらに含む、請求項１〜４のいずれか一項記載の貨幣出金装置。
【請求項６】
同一キャッシュカードに対する所定期間当たりの出金限度額が定められている貨幣出金システムにおいて、
１または複数の貨幣出金装置と、各貨幣出金装置と通信可能な上位装置とを備えており、
貨幣出金装置は、
キャッシュカードに記憶されているカード情報を読み取るカード情報読取手段と、
前記上位装置に対して、前記カード情報読取手段によってキャシュカードから読み取られたカード情報を送信して、当該キャッシュカードに対する現在の出金可能額を問い合わせることにより、前記上位装置から前記出金可能額を取得する出金可能額取得手段と、
前記出金可能額取得手段によって取得された出金可能額を表示する出金可能額表示手段と、を含んでおり、
前記上位装置は、
前記所定期間内において、前記各貨幣出金装置によって行われた出金取引に関する情報を記憶する記憶手段と、
前記貨幣出金装置から前記キャッシュカードに対する現在の出金可能額の問い合わせを受信したときには、当該キャッシュカードのカード情報に対応する口座残高と、前記所定期間当たりの出金限度額度と、前記所定期間内において当該キャッシュカードを用いて行われた出金取引の累計出金額とに基づいて、出金可能額を算出する算出手段と、
前記算出手段によって算出された出金可能額を前記貨幣出金装置に送信する送信手段とを含む、貨幣出金システム。
【請求項７】
前記算出手段は、前記所定期間当たりの出金限度額度から前記累計出金額を減算した値と、前記口座残高とのうち、少ない方の金額を出金可能額として算出するものである請求項６記載の貨幣出金システム。
【発明の詳細な説明】
【技術分野】
【０００１】
この発明は、貨幣出金装置および貨幣出金システムに関する。
【背景技術】
【０００２】
パチンコ店等の遊技施設においては、通常、現金またはプリペードカードによって、遊技媒体（パチンコ玉）の貸し出しを受け付けている。遊技施設の中には、デビット端末を設置し、プリペードカードの購入にデビットカード（キャッシュカード）を利用できる施設もある。デビットカードを用いた決済（デビット決済）が可能となると、遊技客に対して、遊技への過剰な投資を誘発するおそれがある。そこで、遊技施設に設置されたデビット端末での決済金額を制限することにより、遊技への過剰な投資を抑制するシステムが開発されている（特許文献１参照）。
【０００３】
近年、遊技施設に自動取引装置（ＡＴＭ：Automated  Teller  Machine）を設置することが可能となり、遊技施設に設置されたＡＴＭでキャッシュカードを利用して、口座残高より現金の引き出し（出金取引）ができるようになった。ただし、遊技への過剰な投資を抑制するために、一日当たりの出金額の制限を行っている（例えば３万円）。
【先行技術文献】
【特許文献】
【０００４】
【特許文献１】特開２００２−８８９号公報
【発明の概要】
【発明が解決しようとする課題】
【０００５】
遊技施設に設置されたＡＴＭを利用する際に、遊技客が入力した出金請求額が口座残高を上回った場合または今回の出金請求額を含めた当日の出金額の総計が一日当たりの出金限度額を上回る場合には、残高不足エラーまたは取引金額上限オーバーとなり、現金の引き落としができなくなる。このような残高不足エラーまたは取引金額上限オーバーが発生した場合、遊技客がＡＴＭに対して行った出金取引操作が無駄となるとともに、他の遊技客の取引機会の損失を招くことにより、売り上げの減少に繋がる可能性がある。
【０００６】
この発明は、貨幣出金装置に対して出金取引不可となるような無駄な操作が行なわれるのを回避または低減できるとともに、貨幣出金装置の稼動効率を高めることができる貨幣出金装置および貨幣出金システムを提供することを目的とする。
【課題を解決するための手段】
【０００７】
請求項１に記載の発明は、同一キャッシュカードに対する所定期間当たりの出金限度額が定められている貨幣出金システムに適用される貨幣出金装置（１）において、キャッシュカードに記憶されているカード情報を読み取るカード情報読取手段（１０，１７）と、上位装置（３）と通信することにより、前記カード情報読取手段によってキャシュカードから読み取られたカード情報に対応する口座残高と、前記所定期間当たりの出金限度額と、前記所定期間内において当該キャッシュカードを用いて行われた出金取引の累計出金額とから決定される、当該キャッシュカードに対する現在の出金可能額を取得する出金可能額取得手段（１０，２０）と、前記出金可能額取得手段によって取得された出金可能額を表示する出金可能額表示手段（１０，１３）と、を含む貨幣出金装置である。なお、括弧内の英数字は後述の実施形態における対応構成要素等を表す。以下、この項において同じ。
【０００８】
請求項１に記載の発明では、貨幣出金装置は、カード情報読取手段によってキャッシュカードに記憶されているカード情報が読み取られた後に、上位装置と通信することにより、当該キャッシュカードに対する現在の出金可能額を取得する。そして、貨幣出金装置は、上位装置から取得した出金可能額を表示する。この発明では、出金可能額が表示されるので、利用者は出金可能額を認識することができる。このため、出金可能額より大きな金額が、出金請求額として入力されるのを回避または低減できる。したがって、貨幣出金装置に対して出金取引不可となるような無駄な操作が行なわれるのを回避または低減できるとともに、貨幣出金装置の稼動効率を高めることができる。
【０００９】
請求項２に記載の発明は、前記出金可能額は、前記所定期間当たりの出金限度額から、前記所定期間内において当該キャッシュカードを用いて行われた出金取引の累計出金額を減算した値と、前記口座残高とのうち、少ない方の金額である請求項１記載の貨幣出金装置である。
【００１０】
請求項３に記載の発明は、同一キャッシュカードに対する所定期間当たりの出金限度額が定められている貨幣出金システムに適用される貨幣出金装置（１）において、キャッシュカードに記憶されているカード情報を読み取るカード情報読取手段（１０，１７）と、上位装置（３）と通信することにより、前記カード情報読取手段によってキャシュカードから読み取られたカード情報に対応する口座残高と、前記所定期間内において当該キャッシュカードを用いて行われた出金取引の累計出金額または前記所定期間当たりの出金限度額から前記累計出金額を減算した値とを含むデータを取得するデータ取得手段（１０，２０）と、前記データ取得手段によって取得したデータに基づいて、当該キャッシュカードに対する現在の出金可能額を算出する算出手段と、前記算出手段によって算出された出金可能額を表示する出金可能額表示手段（１０，１３）と、を含む貨幣出金装置である。
【００１１】
請求項３に記載の発明では、貨幣出金装置は、カード情報読取手段によってキャッシュカードに記憶されているカード情報が読み取られた後に、上位装置と通信することにより、キャシュカードから読み取られたカード情報に対応する口座残高と、所定期間内において当該キャッシュカードを用いて行われた出金取引の累計出金額または所定期間当たりの出金限度額から前記累計出金額を減算した値とを含むデータを取得する。より具体的には、キャシュカードから読み取られたカード情報に対応する口座残高と、所定期間内において当該キャッシュカードを用いて行われた出金取引の累計出金額とを含むデータ、または前記口座残高と、所定期間当たりの出金限度額から前記累計出金額を減算した値とを含むデータとのいずれかを取得する。そして、貨幣出金装置は、上位装置から取得したデータに基づいて、当該キャッシュカードに対する現在の出金可能額を算出して表示する。
【００１２】
この発明では、出金可能額が表示されるので、利用者は出金可能額を認識することができる。このため、出金可能額より大きな金額が、出金請求額として入力されるのを回避または低減できる。したがって、貨幣出金装置に対して出金取引不可となるような無駄な操作が行なわれるのを回避または低減できるとともに、貨幣出金装置の稼動効率を高めることができる。
【００１３】
請求項４に記載の発明は、前記算出手段は、前記所定期間当たりの出金限度額から前記累計出金額を減算した値と、前記口座残高とのうち、少ない方の金額を出金可能額として算出するものである請求項３記載の貨幣出金装置である。
【００１４】
請求項５に記載の発明は、出金請求額を入力させるための入力手段（１２，１３）と、前記入力手段によって入力された出金請求額が、前記出金可能額以下であるか否かを判別する判別手段（１０）と、前記判別手段によって、前記出金請求額が前記出金可能額以下であると判別されたときには、前記出金請求額に相当する現金を出金するための出金処理を行ない、前記出金請求額が前記出金可能額より大きいと判別されたときには、出金処理を禁止する手段（１０，１６）とをさらに含む、請求項１〜４のいずれか一項記載の貨幣出金装置である。
【００１５】
請求項５に記載の発明では、出金請求額が入力されると、入力された出金請求額が出金可能額以下であるか否かが判別される。出金請求額が出金可能額以下であると判別されたときには、出金請求額に相当する現金を出金するための出金処理が行なわれ、出金請求額が出金可能額より大きいと判別されたときには、出金処理が禁止される。
【００１６】
請求項６に記載の発明は、同一キャッシュカードに対する所定期間当たりの出金限度額が定められている貨幣出金システムにおいて、１または複数の貨幣出金装置（１）と、各貨幣出金装置と通信可能な上位装置（３）とを備えており、貨幣出金装置は、キャッシュカードに記憶されているカード情報を読み取るカード情報読取手段（１０，１７）と、前記上位装置に対して、前記カード情報読取手段によってキャシュカードから読み取られたカード情報を送信して、当該キャッシュカードに対する現在の出金可能額を問い合わせることにより、前記上位装置から前記出金可能額を取得する出金可能額取得手段（１０，２０）と、前記出金可能額取得手段によって取得された出金可能額を表示する出金可能額表示手段（１０，１３）と、を含んでおり、前記上位装置は、前記所定期間内において、前記各貨幣出金装置によって行われた出金取引に関する情報を記憶する記憶手段（３０，３３）と、前記貨幣出金装置から前記キャッシュカードに対する現在の出金可能額の問い合わせを受信したときには、当該キャッシュカードのカード情報に対応する口座残高と、前記所定期間当たりの出金限度額度と、前記所定期間内において当該キャッシュカードを用いて行われた出金取引の累計出金額とに基づいて、出金可能額を算出する算出手段（３０，３２）と、前記算出手段によって算出された出金可能額を前記貨幣出金装置に送信する送信手段（３０，３１）とを含む、貨幣出金システムである。
【００１７】
請求項６に記載の発明では、貨幣出金装置は、カード情報読取手段によってキャッシュカードに記憶されているカード情報が読み取られた後に、上位装置に対して、カード情報読取手段によってキャシュカードから読み取られたカード情報を送信して、当該キャッシュカードに対する現在の出金可能額を問い合わせる。上位装置は、この貨幣出金装置から前記キャッシュカードに対する現在の出金可能額の問い合わせを受信したときには、当該キャッシュカードのカード情報に対応する口座残高と、所定期間当たりの出金限度額度と、当該所定期間内において当該キャッシュカードを用いて行われた出金取引の累計出金額とに基づいて、出金可能額を算出する。そして、算出した出金可能額を貨幣出金装置に送信する。貨幣出金装置は、上位装置からの出金可能額を受信すると、受信した出金可能額を表示する。
【００１８】
この発明では、出金可能額が表示されるので、利用者は出金可能額を認識することができる。このため、出金可能額より大きな金額が、出金請求額として入力されるのを回避または低減できる。したがって、貨幣出金装置に対して出金取引不可となるような無駄な操作が行なわれるのを回避または低減できるとともに、貨幣出金装置の稼動効率を高めることができる。
【００１９】
請求項７に記載の発明は、前記算出手段は、前記所定期間当たりの出金限度額度から前記累計出金額を減算した値と、前記口座残高とのうち、少ない方の金額を出金可能額として算出するものである請求項６記載の貨幣出金システムである。
【発明の効果】
【００２０】
この発明によれば、貨幣出金装置に対して出金取引不可となるような無駄な操作が行なわれるのを回避または低減できるとともに、貨幣出金装置の稼動効率を高めることができる。
【図面の簡単な説明】
【００２１】
【図１】貨幣出金システムの構成を示すブロック図である。
【図２】ＡＴＭの外観を示す斜視図である。
【図３】ＡＴＭの電気的構成を示すブロック図である。
【図４】情報処理センタの電気的構成を示すブロック図である。
【図５】出金管理テーブルの内容の一例を示す模式図である。
【図６】第１の実施形態において、 出金取引時にＡＴＭおよび情報処理センタによって実行される処理の手順を示すフローチャートである。
【図７】第１の実施形態において、 出金取引時にＡＴＭおよび情報処理センタによって実行される処理の手順を示すフローチャートである。
【図８】第２の実施形態において、 出金取引時にＡＴＭおよび情報処理センタによって実行される処理の手順を示すフローチャートである。
【図９】第２の実施形態において、 出金取引時にＡＴＭおよび情報処理センタによって実行される処理の手順を示すフローチャートである。
【発明を実施するための形態】
【００２２】
以下、図面を参照して、この発明の実施の形態について説明する。
【００２３】
［１］第１の実施形態
図１は、貨幣出金システムの構成を示している。
パチンコ等の遊技施設である複数の店舗Ａ，Ｂ，Ｃそれぞれに、自動取引装置（ＡＴＭ）１Ａ，１Ｂ，１Ｃが設置されている。これらを総称する場合には、自動取引装置１（またはＡＴＭ１）ということにする。ＡＴＭ１は、公衆回線２を介して、情報処理センタ３に接続されている。情報処理センタ３には、ＡＴＭ１による取引が可能な各銀行Ｘ，Ｙ，Ｚのホストコンピュータ４Ａ，４Ｂ，４Ｃが専用回線を介して接続されている。これらを総称する場合には、ホストコンピュータ４ということにする。
【００２４】
ＡＴＭ１は、キャッシュカードを用いて出金、入金、残高紹介等の取引を行える機能を備えている。情報処理センタ３は、ＡＴＭ１とホストコンピュータ４との間の通信を仲介する。また、情報処理センタ３は、ＡＴＭ１によって実行される出金取引に関するデータを管理する。各銀行のホストコンピュータ４には、顧客情報ファイル（ＣＩＦ：Custmer  Information  File）を備えている。顧客情報ファイルは、顧客口座情報として、顧客の口座番号、氏名、住所、預金残高、暗証番号等を体系的に管理、記憶している。
【００２５】
図２は、ＡＴＭの外観を示している。
ＡＴＭ１の前方に突出したほぼ水平な操作面には、紙幣を投入または放出するための紙幣投入放出口１１と、暗証番号、出金請求額（出金額）等を入力するためのテンキー１２とが設けられている。ＡＴＭ１の前面のほぼ垂直な操作面には、操作手順の案内や取引操作を行うための操作表示部１３と、キャッシュカードを挿入および返却するためのカード挿入返却口１４と、取引明細が印字されたレシートを発行するためのレシート発行口１５とが設けられている。操作表示部１３としては、この実施形態では、タッチパネル付きの表示器が用いられている。
【００２６】
図３は、ＡＴＭの電気的構成を示している。
ＡＴＭ１は、制御部１０によって制御される。制御部１０は、ＣＰＵ、そのプログラムや必要なデータを記憶したＲＯＭ、必要なデータを記憶するＲＡＭを備えている。制御部１０には、テンキー１２、操作表示部１３、紙幣入出金部１６、カード処理部１７、レシート処理部１８、記憶部１９、通信処理部２０等が接続されている。
【００２７】
紙幣入出金部１６は、出金時においては、出金請求額の紙幣を収納箱（図示略）から繰り出し、計数して紙幣投入放出口１１まで搬出する。また、紙幣入出金部１６は、入金時においては、紙幣投入放出口１１から投入された紙幣を計数して収納箱に収納するものである。カード処理部１７は、カード挿入返却口１４の内側に設けられ、カード挿入返却口１４から挿入されたキャッシュカードの情報を読取り、取引終了時にカード挿入返却口１４からカードを返却する。レシート処理部１８は、レシートに取引明細を印字し、印字済みのレシートをレシート発行口１５から発行する。記憶部１９は、書き換え可能な不揮発性メモリからなり、当該ＡＴＭ１が設置された店舗のＩＤ等のデータが記憶される。通信制御部２０は、公衆回線２を介して制御部１０が情報処理センタ３と通信を行うためのものである。
【００２８】
図４は、情報処理センタの電気的構成を示している。
情報処理センタ３は、制御部３０を備えている。制御部３０は、ＣＰＵ、ＲＯＭおよびＲＡＭを備えている。制御部３０には、通信制御部３１、３２、記憶部３３等が接続されている。通信制御部３１は、公衆回線２を介して、制御部３０がＡＴＭ１と通信を行うためのものである。通信制御部３２は、専用回線を介して、制御部３０がホストコンピュータ４と通信を行うためのものである。記憶部３３は、書き換え可能な不揮発性メモリからなり、必要なデータが記憶される。記憶部３３には、ＡＴＭ１によって行われた出金取引に関する情報を管理するための、出金管理テーブルが設けられている。
【００２９】
図５は、出金管理テーブルの内容の一例を示している。
この実施形態では、遊技への過剰な投資を抑制するために、遊技客がＡＴＭ１を利用して１日に出金できる金額の総計（１日の累計出金額）が、予め定められた一日当たりの出金限度額以下に制限されている。一日当たりの出金限度額は、この実施形態では、３万円であり、情報処理センタ３の記憶部３３に記憶されている。
【００３０】
出金管理テーブルには、当日一日分の出金取引に関するデータが記憶される。この実施形態では、出金管理テーブルの内容は、一日単位でクリアされる。出金管理テーブルには、出金取引が行われる毎に、当該取引が行われた店舗のＩＤに関連して、当該取引に用いられたキャッシュカードのＩＤ、今回の出金額、当日における当該キャシュカードを利用した出金額の累計（累計出金額）および当該店舗の当日における当該キャシュカードを利用した出金取引の回数（出金回数）が記憶される。ただし、累計出金額は、当該店舗のみにおける出金額の累計ではなく、情報処理センタ３が管理している全ての店舗（遊技施設）での出金額の累計である。出金回数は、当該店舗のみにおける出金取引の回数である。出金回数も、情報処理センタ３が管理している全ての店舗での出金取引の回数としてもよい。
【００３１】
カードＩＤが“１３５７９”のキャッシュカードに関する出金データが、図５に示されているような内容となった経緯について説明する。このキャッシュカードを持つ遊技者は、例えば、店舗ＩＤが”１０３０“の店舗に設置された貨幣出金装置１において、まず、１０，０００円を出金した。その時点では、店舗ＩＤ”１０３０“のカードＩＤ“１３５７９”に対応する、今回出金額および累計出金額がともに”１０，０００円“となり、出金回数が”１“となる。
【００３２】
この後、当該遊技者が、店舗を移動し、店舗ＩＤが”１０２０“の店舗に設置されたＡＴＭ１において５，０００円を出金した。その時点では、店舗ＩＤ”１０２０“のカードＩＤ“１３５７９”に対応する、今回出金額が”５，０００円“となり、累計出金額が”１５，０００円“となり、出金回数が”１“となる。また、店舗ＩＤ”１０３０“のカードＩＤ“１３５７９”に対応する、今回出金額が”１０，０００円“を維持し、累計出金額が”１５，０００円“に変化し、出金回数が”１“を維持する。
【００３３】
この後、さらに、当該遊技者が、店舗ＩＤが”１０２０“の店舗に設置されたＡＴＭ１において１０，０００円を出金した。その時点では、店舗ＩＤ”１０２０“のカードＩＤ“１３５７９”に対応する、今回出金額が”１０，０００円“に変化し、累計出金額が”２５，０００円“となり、利用回数が”２“となる。また、店舗ＩＤ”１０３０“のカードＩＤ“１３５７９”に対応する、今回出金額が”１０，０００円“を維持し、累計出金額が”２５，０００円“に変化し、出金回数が”１“を維持する。つまり、図５に示すような内容となる。
【００３４】
図６および図７は、出金取引時にＡＴＭ１および情報処理センタ３によって実行される処理の手順を示している。
ＡＴＭ１の制御部１０は、待機状態においては、遊技客に取引を選択させるための取引選択画面を表示している（ステップＳ１）。遊技客によって出金取引以外の取引が選択されると（ステップＳ３でＹＥＳ）、制御部１０は選択された取引に対応した処理を実行する。
【００３５】
遊技客によって出金取引が選択された後（ステップＳ２でＹＥＳ）、遊技客によってキャッシュカードがカード挿入返却口１４から挿入されると（ステップＳ４でＹＥＳ）、カード処理部１７によって、カードに記録されているカードＩＤ、口座番号等のカードデータが読み取られる（ステップＳ５）。カード処理部１７によって読み取られたカードデータは、制御部１０に与えられる。制御部１０は、暗証番号の入力を促すための暗証番号入力案内画面を表示する（ステップＳ６）。この表示に基づいて、遊技客は、テンキー１２によって暗証番号を入力する。
【００３６】
暗証番号が入力されると（ステップＳ７でＹＥＳ）、制御部１０は、情報処理センタ３に対して、店舗ＩＤ、キャシュカードから読み取ったカードデータ、入力された暗証番号等のデータを送って、出金可能額の問い合わせを行う（ステップＳ８）。
【００３７】
情報処理センタ３は、ＡＴＭ１からの出金可能額の問い合わせを受信すると、出金管理テーブル（図５参照）から、受信したカードＩＤに対応する当日の累計出金額を読み出し、当該累計出金額が１日当たりの出金限度額（この例では３万円）未満であるか否かを判別する（ステップＳ２１）。累計出金額が１日当たりの出金限度額未満であれば（ステップＳ２１でＹＥＳ）、情報処理センタ３は、対応する銀行のホストコンピュータ４に対して、カードデータ、暗証番号等のデータを送るとともに口座残高等の問い合わせを行う（ステップＳ２２）。この問い合わせを受信したホストコンピュータ４は、受信した口座番号に基づいて、顧客情報ファイルから対応する顧客口座情報を読み出し、受信した暗証番号が正しいか否かの確認を行い、その確認結果と口座残高とを、情報処理センタ３に送信する。
【００３８】
情報処理センタ３は、ホストコンピュータ４からの口座残高等のデータを受信すると（ステップＳ２３でＹＥＳ）、暗証番号の正しいことが確認されかつ口座に残高が存在するか否かを判別する（ステップＳ２４）。暗証番号の正しいことが確認されかつ口座に残高が存在する場合には、情報処理センタ３は、出金可能額を算出し、算出した出金可能額をＡＴＭ１に通知する（ステップＳ２５）。具体的には、情報処理センタ３は、まず、一日当たりの出金限度額（この例では３万円）から、受信したカードＩＤに対応する当日の累計出金額を差し引いた値を、一日当たりの出金限度額内での利用可能残額として算出する。そして、情報処理センタ３は、受信した口座番号に対応する口座残高と、一日当たりの出金限度額内での利用可能残高とのうち、小さい方の金額を、出金可能額として算出する。
【００３９】
一方、前記ステップＳ２１において、累計出金額が１日当たりの出金限度額以上であると判別された場合（ステップＳ２１でＮＯ）または前記ステップＳ２４において、暗証番号の正しいことが確認されていないか若しくは口座に残高が存在しないと判別された場合（ステップＳ２４でＮＯ）には、情報処理センタ３は、取引不可であることをＡＴＭ１に通知する（ステップＳ２６）。
【００４０】
ＡＴＭ１の制御部１０は、情報処理センタ３からの問い合わせ結果（出金可能額または取引不可）を受信した場合には（ステップＳ９でＹＥＳ）、受信した内容が取引不可であれば（ステップＳ１０でＹＥＳ）、取引不可であることを示すメッセージを表示した後（ステップＳ１８）、待機状態に移行する。
【００４１】
一方、問い合わせ結果として受信した内容が出金可能額である場合には（ステップＳ１０でＮＯ）、制御部１０は、出金可能額を表示するとともに出金請求額の入力を促すための入力案内画面を表示する（ステップＳ１１）。遊技客が出金請求額を入力すると（ステップＳ１２でＹＥＳ）、制御部１０は、入力された出金請求額が出金可能額以下であるか否かを判別する（ステップＳ１３）。入力された出金請求額が出金可能額を超えている場合には（ステップＳ１３でＮＯ）、取引不可であることを示すメッセージを表示した後（ステップＳ１８）、待機状態に移行する。
【００４２】
一方、入力された出金請求額が出金可能額以下である場合には（ステップＳ１３でＹＥＳ）、制御部１０は、出金処理を行なう（ステップＳ１４）。つまり、制御部１０は、紙幣入出金部１６を制御することにより、出金請求額に相当する紙幣を紙幣投入放出口１１から放出する。また、制御部１０は、レシート発行処理を行なう（ステップＳ１５）。つまり、制御部１０は、レシート処理部１８を制御することにより、今回の出金取引に関する情報をレシートに印字して、レシート発行口１５から発行する。また、制御部１０は、カード返却処理を行なう（ステップＳ１６）。つまり、制御部１０は、カード処理部１８を制御して、キャッシュカードをカード挿入返却口１４から返却する。
【００４３】
さらに、制御部１０は、今回の出金取引に関する情報（出金取引データ）を、情報処理センタ３に送信する（ステップＳ１７）。そして、待機状態となる。出金取引に関する情報には、日時、店舗ＩＤ、キャシュカードＩＤ、口座番号、出金額などのデータが含まれる。
【００４４】
情報処理センタ３は、ＡＴＭ１からの今回の出金取引に関する情報を受信した場合には、受信した情報を対応する銀行のホストコンピュータ４に送信するとともに（ステップＳ３１）、受信した情報に基づいて、出金管理テーブルデータ（図５参照）の内容を更新する（ステップＳ３２）。
【００４５】
なお、前記ステップＳ１３において、入力された出金請求額が出金可能額を超えている場合には（ステップＳ１３でＮＯ）、出金請求額を再入力させ、入力された出金請求額が出金可能額以下であるか否かを再度判別するようにしてもよい。そして、出金請求額の再入力が所定回数行われたにもかからず、入力された出金請求額が出金可能額以下とならない場合に待機状態にするようにしてもよい。
【００４６】
上記第１の実施形態では、出金取引時には、出金可能額が操作表示部１３に表示されるので、遊技客は出金可能額を認識することができる。このため、出金可能額より大きな金額が、出金請求額として入力されるのを回避または低減できる。したがって、ＡＴＭ１に対して出金取引不可となるような無駄な操作が行なわれるのを回避または低減できるとともに、ＡＴＭ１の稼動効率を高めることができる。
【００４７】
［２］第２の実施形態
貨幣出金システムの構成は、第１の実施形態と同じである。また、ＡＴＭ１および情報処理センタ３の電気的構成も、第１の実施形態と同じである。また、情報処理センタ３は、第１の実施形態と同様に、出金取引に関する情報を出金管理テーブル（図５参照）を用いて管理している。第１の実施形態では、出金可能額の算出を情報処理センタ３が行なっているが、第２の実施形態ではＡＴＭ１が出金可能額の算出を行う。このため、ＡＴＭ１は、出金可能額の算出に必要なデータを情報処理センタ３から取得する。
【００４８】
図８および図９は、出金取引時にＡＴＭ１および情報処理センタ３によって実行される処理の手順を示している。図８および図９において、図６および図７と同じ処理が実行されるステップには、同じステップ番号を付け、その説明を省略する。
【００４９】
図８のＡＴＭ１によって実行されるステップＳ１〜Ｓ７の処理は、図６のステップＳ１〜Ｓ７の処理と同様である。ステップＳ７で暗証番号が入力されると、ＡＴＭ１の制御部１０は、情報処理センタ３に対して、店舗ＩＤ、キャシュカードから読み取ったカードデータ、入力された暗証番号等のデータを送るとともに、出金可能額算出用データの問い合わせを行う（ステップＳ８ａ）。
【００５０】
情報処理センタ３は、ＡＴＭ１からの出金可能額算出用データの問い合わせを受信すると、対応する銀行のホストコンピュータ４に対して、カードデータ、暗証番号等のデータを送るとともに口座残高等の問い合わせを行いう（ステップＳ２２）。この問い合わせを受信したホストコンピュータ４は、受信した口座番号に基づいて、顧客情報ファイルから対応する顧客口座情報を読み出し、受信した暗証番号が正しいか否かの確認を行い、その確認結果と口座残高とを、情報処理センタ３に送信する。
【００５１】
情報処理センタ３は、ホストコンピュータ４からの口座残高等のデータを受信すると（ステップＳ２３でＹＥＳ）、暗証番号の正しいことが確認されかつ口座に残高が存在するか否かを判別する（ステップＳ２４）。暗証番号の正しいことが確認されかつ口座に残高が存在する場合には、情報処理センタ３は、受信したカードＩＤに対応する当日の累計出金額を出金管理テーブルから読み出し、ホストコンピュータ４から取得した口座残高と、出金管理テーブルから読み出した当日の累計出金額とを、出金可能額算出用データとしてＡＴＭ１に通知する（ステップＳ２５ａ）。なお、出金可能額算出用データとして、口座残高と、一日当たりの出金限度額内での利用可能残額とを通知してもよい。ここで、一日当たりの出金限度額内での利用可能残額は、一日当たりの出金限度額（この例では３万円）から、受信したカードＩＤに対応する当日の累計出金額を差し引いた値である。
【００５２】
一方、前記ステップＳ２４において、暗証番号の正しいことが確認されていないかまたは口座に残高が存在しないと判別された場合（ステップＳ２４でＮＯ）には、情報処理センタ３は、取引不可であることをＡＴＭ１に通知する（ステップＳ２６）。
【００５３】
ＡＴＭ１の制御部１０は、情報処理センタ３から問い合わせ結果（出金可能額算出用データまたは取引不可）を受信した場合には（ステップＳ９ａでＹＥＳ）、受信した内容が取引不可であれば（ステップＳ１０ａでＹＥＳ）、取引不可であることを示すメッセージを表示した後（ステップＳ１８）、待機状態に移行する。
【００５４】
一方、問い合わせ結果として受信した内容が出金可能額算出用データである場合には（ステップＳ１０ａでＮＯ）、制御部１０は、受信した出金可能額算出用データに基づいて、出金可能額を算出する（ステップＳ１９）。受信した出金可能額算出用データが、口座残高と当日の累計出金額とからなる場合には、制御部１０は、まず、一日当たりの出金限度額（この例では３万円）から当日の累計出金額を差し引いた値を、一日当たりの出金限度額内での利用可能残額として算出する。そして、制御部１０は、口座残高と、一日当たりの出金限度額内での利用可能残高とのうち、小さい方の金額を、出金可能額として算出する。一方、受信した出金可能額算出用データが、口座残高と一日当たりの出金限度額内での利用可能残額とからなる場合には、制御部１０は、口座残高と、一日当たりの出金限度額内での利用可能残高とのうち、小さい方の金額を、出金可能額として算出する。
【００５５】
制御部１０は、出金可能額を算出すると、出金可能額を表示するとともに出金請求額の入力案内画面を表示する（ステップＳ１１）。図９において、ＡＴＭ１で実行されるステップＳ１１〜Ｓ１８の処理は、図７のステップＳ１１〜Ｓ１８の処理と同じである。また、図９において、情報処理センタ３によって実行されるステップＳ３１およびＳ３２の処理も、図７のステップＳ３１〜Ｓ３２の処理と同じである。
【００５６】
上記第２の実施形態においても、出金取引時には、出金可能額が操作表示部１３に表示されるので、遊技客は出金可能額を認識することができる。このため、出金可能額より大きな金額が、出金請求額として入力されるのを回避または低減できる。したがって、ＡＴＭ１に対して出金取引不可となるような無駄な操作が行なわれるのを回避または低減できるとともに、ＡＴＭ１の稼動効率を高めることができる。
【００５７】
以上、この発明の第１および第２の実施形態について説明したが、この発明はさらに他の形態で実施することもできる。前述の実施形態では、出金管理テーブルは情報処理センタ３に設けられているが、例えば、１台のＡＴＭ１での１日当たりの出金額が制限されている場合には、出金管理テーブルをＡＴＭ１の記憶部１９に設けるようにしてもよい。この場合には、出金管理テーブルには、当該ＡＴＭ１で行われた当日一日分の出金取引に関する情報が記憶される。出金管理テーブルには、出金取引に用いられたキャッシュカードのＩＤ、今回の出金額、当日における当該キャシュカードを利用した出金額の累計（累計出金額）および当日における当該キャシュカードを利用した出金取引の回数（出金回数）が記憶される。
【００５８】
この場合、ＡＴＭ１の制御部１０は、出金取引時には、口座残高を情報処理センタ３を介してホストコンピュータ４から取得するとともに、読み取ったキャシュカードＩＤに対応する当日の累計出金額を出金管理テーブルから読み出す。制御部１０は、１台のＡＴＭ１での一日の出金限度額から当日の累計出金額を減算することにより、一日当たりの出金限度額内での利用可能残高を算出する。そして、制御部１０は、口座残高と一日当たりの出金限度額内での利用可能残高とのうち、小さい方の金額を、出金可能額として算出して、操作表示部１３に表示する。
【００５９】
また、上記実施形態では、１日当たりの出金限度額が定められているが、１日以外の所定期間当たりの出金限度額が定められている場合にも、この発明を適用することができる。  
また、図６および図７で示す処理または図８および図９に示す処理においては、取引選択画面を表示して、遊技客に取引選択をさせてから（ステップＳ１，Ｓ２参照）、遊技客にキャシュカードを挿入させるようにしているが（ステップＳ４参照）、遊技客にキャシュカードを挿入させてから、取引選択画面を表示して、遊技客に取引選択をさせるようにしてもよい。
また、ＡＴＭ１の利用客には、ＡＴＭ利用手数料を課するようにしてもよい。その場合、累計出金額にＡＴＭ利用手数料を含めるようにしてもよいし、含めないようにしてもよい。例えば、出金取引に対して２１０円のＡＴＭ利用手数料が発生するものとする。累計出金額にＡＴＭ利用手数料を含めるようにした場合には、例えば、所定の日において、所定の遊技者の口座残高が１日当たりの出金限度額（３０，０００円）以上の金額であるときに、当該遊技者によって、最初に、出金請求額が１０，０００円の出金取引が行なわれたとすると、その取引完了時点での利用可能金額は、１９，７９０円（＝３０，０００円−（１０，０００円＋２１０円）となる。
その他、特許請求の範囲に記載された事項の範囲で種々の設計変更を施すことが可能である。
【符号の説明】
【００６０】
１    ＡＴＭ
３    情報処理センタ
４    ホストコンピュータ
１０    制御部
１３    操作表示部
１９    記憶部
３０    制御部
３３    記憶部
【図１】
2011039652.tif 000003
【図２】
2011039652.tif 000004
【図３】
2011039652.tif 000005
【図４】
2011039652.tif 000006
【図５】
2011039652.tif 000007
【図６】
2011039652.tif 000008
【図７】
2011039652.tif 000009
【図８】
2011039652.tif 000010
【図９】
2011039652.tif 000011